【手続補正書】
【提出日】平成18年9月14日(2006.9.14)
【手続補正１】
【補正対象書類名】明細書
【補正対象項目名】特許請求の範囲
【補正方法】変更
【補正の内容】
【特許請求の範囲】
【請求項１】  膨らんでかつ見かけ上の尖端に収斂する響体と尖端の側面に取り付けられた柱頭を備えたリュートであって、柱頭は指板を有し、指板はフレットを備えかつその自由端に糸倉を有しその際響体は湾曲したリュート背と共鳴蓋とから成り、リュート背の縁は柱頭の一側とその他側との間の形状を常に外方に湾曲させておりかつ一平面上に位置し、共鳴蓋の縁はリュート背の縁と結合しており、共鳴蓋はリュート背に面した下側に縦桁と横桁を備え、共鳴蓋は下側に向かい合った上側に緒止め板を備え、緒止め板は共鳴蓋の中心線の柱頭から最大１／３離れた個所でこの中心線上でかつその縦延在部において中心線に対して横で共鳴蓋と結合しており、その際糸倉と緒止め板との間に複数の弦が張られており、そして弦の領域で中心線の柱頭に近い半分において上側と下側との間に１つ又は複数の開口が設けられている前記リュートにおいて、
緒止め板（１５）を含めて共鳴蓋（１２）は外側に湾曲しており、その際湾曲した共鳴蓋（１２）の最大距離（２０）は平面（１１）上少なくとも２ｍｍであり、共鳴蓋（１２）の下側には横桁のない面（２１）が設けられており、この面は略緒止め板（１５）と縁（１３）の柱頭とは反対側の領域（２４）との間の第１部分面（２２）と、互いに向かい合って位置する縁領域（２５；２６）の間の第１部分面（２２）と境を接する略等しい大きさの第２部分面（２３）とに相応し、その際横桁のない面（２１）は縦桁のない面と同様に形成されており又は中心対称に配設されている縦桁（２７）を備えることを特徴とする前記リュート。
【請求項２】  縦桁（２７）が、実質的に中心軸線（１６）の延在方向に延びていることを特徴とする請求項１に記載のリュート。
【請求項３】  縦桁（２７）が中心軸線（１６）の縦延在方向に対して鋭角をなしていることを特徴とする請求項１又は２に記載のリュート。
【請求項４】  縦桁（２７）がその中心縦軸線（２８）が共鳴蓋（１２）の中心軸（１６）線上の仮想点で交差し又は柱頭（４）の方向の延長部で交差するように扇状に延びていることを特徴とする請求項１から３までのうちのいずれか１つに記載のリュート。
【請求項５】  縦桁（２７）が中心軸線（１６）に対して平行であることを特徴とする請求項１又は２に記載のリュート。
【請求項６】  偶数の縦桁（２７）が設けられていることを特徴とする請求項１から５までのうちのいずれか１つに記載のリュート。
【請求項７】  奇数の縦桁（２７）が設けられていることを特徴とする請求項１から５までのうちのいずれか１つに記載のリュート。
【請求項８】  共鳴蓋（１２）の厚さが、横桁のない面（２１）で縁（１３）に向かって減少していることを特徴とする請求項１から６までのうちのいずれか１つに記載のリュート。
【請求項９】  横桁（２９）が、その端を支台上に載せていることを特徴とする請求項１から７までのうちのいずれか１つに記載のリュート。
【請求項１０】  少なくとも２つの縦桁が、横桁のない面（２１）の最も近くに位置する横桁に少なくとも接触しないで下を経過し、横桁において横桁がこれらの縦桁との交差個所にトンネル状の空所を有することを特徴とする請求項１から８までのうちのいずれか１つに記載のリュート。
【請求項１１】  指板（５）が共鳴蓋部分を通って共鳴蓋（１２）上に延びており、かつフレットが共鳴蓋部分上に配設されていることを特徴とする請求項１から９までのうちのいずれか１つに記載のリュート。
【請求項１２】  共鳴蓋（１２）が共鳴蓋部分の領域の下面を硬質木片（３１）によって補強されていることを特徴とする請求項１０に記載のリュート。
【請求項１３】  ８つの弦（１７）が張られ、弦は調律状態C −D −E −A −ｄ−ｇ−ｈ−ｅ’を有することを特徴とする請求項１から１１までのうちのいずれか１つに記載のリュート。
【請求項１４】  １５の単一弦が張られ、単一弦は調律状態G −A −B −Ｃ−Ｄ−E −F −Ｇ−Ａ−Ｂ−ｄ−ｆ−ａ−ｄ’−ｆ’又は調律状態Ｇ−Ａ−Ｂ−Ｃ−Ｄ−Ｅ−Ｆ−Ｇ−Ａ−Ｂ−ｄ−ｆ−ａ−ｄ’−ｇ’を有することを特徴とする請求項１から１１までのうちのいずれか１つに記載のリュート。
【手続補正２】
【補正対象書類名】明細書
【補正対象項目名】００１０
【補正方法】変更
【補正の内容】
【００１０】
リュートは１５世紀このかた、西洋の音楽文化の最も重要な音響器具の１つになっている。多数の有名な作曲家が、リュートのために書かれた作品を後に残した。しかしながら、これらの作品は今日、代理の役割を果たすギターにわずかにまたは不十分にしか再現することができない。なぜなら、それらの作品は広く忘れられている状態に陥っているからである。
【手続補正３】
【補正対象書類名】明細書
【補正対象項目名】００１３
【補正方法】変更
【補正の内容】
【００１３】
ドイツの実用新案登録明細書第 88 08 073.0号には、前述したギターの構成を再現する楽器が記載されている。
【手続補正４】
【補正対象書類名】明細書
【補正対象項目名】００３０
【補正方法】変更
【補正の内容】
【００３０】
この構成の場合、共鳴蓋をそれらの下側の共鳴蓋部分の領域で硬質木片で補強するのが合目的である。それとともに、一方では、すなわちこの領域での共鳴蓋の機械的な安定性が高められ、このため、この共鳴蓋領域で弦を弾いたときに、少なからぬ圧力が及ぼされるので合目的である。他方では、それとともに、弦の音響損失が共鳴蓋を経由して強化される。なぜなら、特にこの部分で共鳴蓋がしなやかである場合に、まさに、一層高い弦をいっそう高いトーンで弾いたときに、弦の振動容積が、それとともにそのリュート厚さが非常に小さいからである。
【手続補正５】
【補正対象書類名】明細書
【補正対象項目名】００３２
【補正方法】変更
【補正の内容】
【００３２】
この張力をかける方法に代わる方法として、１５の個々の弦でリュートに張力をかけて、これらの弦は調律状態Ｇ−Ａ−Ｂ−Ｃ−Ｄ−Ｅ−Ｆ−Ｇ−Ａ−Ｂ−ｄ−ｆ−ａ−ｄ′−ｆ′−または調律状態Ｇ−Ａ−Ｂ−Ｃ−Ｄ−Ｅ−Ｆ−Ｇ−Ａ−Ｂ−ｄ−ｆ−ａ−ｄ′−ｇ′を有するようにすることができる。そのような張力をかけることにより、１６３０年と１８００年の間の時代の全体のリュート音楽、１９世紀と２０世紀の音楽であるギターレパートリーの部分、１４５０年から１６３０年までのリュート音楽レパートリーの部分および現代の作曲された作品を弾くことができる可能性が与えられる。
【手続補正６】
【補正対象書類名】明細書
【補正対象項目名】００４２
【補正方法】変更
【補正の内容】
【００４２】
詳細には示されていない仕方で、指板５が共鳴蓋部分により共鳴蓋１２上へ延長されている。その場合、共鳴蓋部分はこまを有する。図３から明らかなように、共鳴蓋１２は共鳴蓋部分の下でその下側が硬質木片３１で強化されている。
【手続補正７】
【補正対象書類名】明細書
【補正対象項目名】図面の簡単な説明
【補正方法】変更
【補正の内容】
【図面の簡単な説明】
【図１】
本発明によるリュートの側面図である。
【図２】
本発明によるリュートの共鳴蓋の下側の平面図である。
【図３】
本発明によるリュートの縦断面図である。
【符号の説明】
１    リュート
２    共鳴胴
３    尖端部
４    頸部
５    指板
６    糸倉
７    リュート背部
８    縁
９    頸部の側面
１０  頸部の側面
１１  平面
１２  共鳴蓋
１３  共鳴蓋の縁
１４  上側
１５  弦ホルダ
１６  中心軸線
１７  弦
１８  切り通し
１９  円花飾り
２０  矢印高さ
２１  桁のない平面
２２  第一の部分面
２３  第二の部分面
２４  縁の領域
２５  縁領域
２６  縁領域
２７  桟
２８  中心長手方向軸線
２９  横桁
３０  安全桁
３１  硬質木片